(57)【要約】  【課題】  圧縮画像データに係る画像の画素数を減少して画像サイズを縮小する処理に必要なメモリ容量を削減するとともに、処理負担を軽減することができる画像処理装置を提供する。  【解決手段】  本発明に係る画像処理装置を搭載したデジタルスチルカメラ１０は、縮小処理キー１８ａによる指示に基づいて、記憶部１７に記憶されている圧縮画像データを読み出す。そして、画像処理部１６にて、読み出した圧縮画像データを、区分けした画素ブロック毎に解凍し、解凍した画素ブロックを構成する複数の画素（例えば１６×１６画素）から所要数（例えば４つ）の画素に係る画素データを抽出する。そして、抽出した画素データを関連付けて画像メモリ１６ａに順次記憶する。このような抽出処理及び記憶処理を、画像を構成するすべての画素ブロックに対して行うことによって、画像メモリ１６ａには、画像サイズが縮小した縮小画像が記憶される。【選択図】        図１
2005340950.tif 000002
【特許請求の範囲】
【請求項１】
圧縮画像データに係る矩形状の画像の画素数を減少して画像サイズを縮小する処理を行う画像処理装置において、
前記画像の画素数より少ない画素数を有する複数のブロック毎に、前記圧縮画像データを解凍する解凍手段と、
該解凍手段が解凍したブロック毎に、ブロックを構成する複数の画素から所要数の画素に係る画素データを抽出する抽出手段と、
該抽出手段が抽出した画素データを記憶する記憶部とを備え、
画像サイズが縮小された画像となるように、前記画素データを関連付けて記憶するように構成してあること
を特徴とする画像処理装置。
【請求項２】
画像サイズの縮小率を設定する設定手段をさらに備え、
前記抽出手段は、前記設定手段が設定した画像サイズの縮小率に応じて、抽出する画素データの画素数を変更するように構成してあること
を特徹とする請求項１に記載の画像処理装置。
【請求項３】
圧縮画像データに係る矩形状の画像の画素数を減少して画像サイズを縮小する処理を行う画像処理装置において、
前記画像の画素数より少ない画素数を有する複数のブロック毎に、前記圧縮画像データを解凍する解凍手段と、
該解凍手段が解凍したブロックのうちの一又は複数のブロックを選択する選択手段と、
該選択手段が選択したブロック毎に、ブロックを構成する複数の画素から所要数の画素に係る画素データを抽出する抽出手段と、
該抽出手段が抽出した画素データを記憶する記憶部とを備え、
画像サイズが縮小された画像となるように、前記画素データを関連付けて記憶するように構成してあること
を特徴とする画像処理装置。
【請求項４】
画像サイズの縮小率を設定する設定手段をさらに備え、
前記選択手段は、前記設定手段が設定した画像サイズの縮小率に応じて、選択するブロックの数を変更するように構成してあること
を特徴とする請求項３に記載の画像処理装置。
【請求項５】
前記抽出手段は、前記設定手段が設定した画像サイズの縮小率に応じて、抽出する画素データの画素数を変更するように構成してあること
を特徴とする請求項４に記載の画像処理装置。
【請求項６】
前記ブロックは、行方向の画素数と列方向の画素数とが同一であること
を特徴とする請求項１乃至請求項５のいずれか一つに記載の画像処理装置。
【請求項７】
前記圧縮画像データの圧縮形式は、ＪＰＥＧ形式であること
を特徴とする請求項１乃至請求項６のいずれか一つに記載の画像処理装置。
【発明の詳細な説明】
【技術分野】
【０００１】
本発明は、矩形状の画像を圧縮した圧縮画像データの画素数を減少して画像サイズの縮小処理を行う場合に、必要なメモリ容量を削減するとともに、縮小処理に係る処理負担を軽減することができる画像処理装置に関する。
【背景技術】
【０００２】
デジタルビデオカメラ、デジタルスチルカメラなどの撮像機器において、撮像した画像はＪＰＥＧ形式に圧縮されて、フラッシュメモリなどの記憶部に記憶されるのが業界標準となっている。ＪＰＥＧ形式は、１,６７７万色（２４ビット）に対応しており、写真のような色の変化の滑らかなもの、又は柔らかな表現をしたい場合に好適である。したがって、上述した撮像機器の主たる対象である人物及び自然風景の画像に好適であるとされている。また、圧縮度が指定できるため、所望のデータサイズに圧縮できるという利点を有している。
【０００３】
撮像機器は、内蔵する記憶部に記憶している画像に対応した縮小画像を表示部に表示して、画像の概要が利用者に分かるようにしており、利用者は、表示された縮小画像から目的の画像を検索することができる（例えば、特許文献１参照。）。
【特許文献１】特開２０００−１０５７７２号公報
【発明の開示】
【発明が解決しようとする課題】
【０００４】
しかしながら、ＪＰＥＧ形式で圧縮された画像から縮小画像を生成するためには、圧縮された画像を１ページのビットマップデータに解凍し、解凍されたビットマップデータを間引き処理によって画像の縮小化を行う必要があった。したがって、解凍した非圧縮の画像データ（本明細書では、画像全体のデータを画像データ、画像を構成する画素のデータを画素データと定義する。）を記憶するための画像メモリのメモリ容量が、当該画像データと同量のものが必要であった。近年では、数百万画素の撮像機器が普及しているが、例えば、５００万画素で各画素の情報（階調）量が３２ビットの場合には、略５００Ｍビットのメモリ容量が必要である。
【０００５】
本発明は斯かる事情に鑑みてなされたものであり、圧縮画像データに係る画像の画素数より少ない画素数を有する複数のブロック毎に、圧縮画像データを解凍し、解凍したブロック毎に、ブロックを構成する複数の画素から所要数の画素に係る画素データを抽出し、抽出した画素データを関連付けて記憶部に記憶する構成とすることにより、画像サイズを縮小する処理に必要なメモリ容量を削減するとともに、縮小処理に係る処理負担を軽減することができる画像処理装置の提供を目的とする。
【０００６】
また本発明は、圧縮画像データに係る画像の画素数より少ない画素数を有する複数のブロック毎に、圧縮画像データを解凍し、解凍したブロックのうちの一又は複数のブロックを選択し、選択したブロック毎に、ブロックを構成する複数の画素から所要数の画素に係る画素データを抽出し、抽出した画素データを関連付けて記憶部に記憶する構成とすることにより、画像サイズを縮小する処理に必要なメモリ容量を削減するとともに、縮小処理に係る処理負担を軽減することができ、各ブロックから１画素を抽出することにより得られる画像サイズより小さい縮小率の縮小画像を記憶部に記憶できる画像処理装置の提供を目的とする。
【０００７】
また本発明は、画像サイズの縮小率に応じて、選択するブロックの数を変更する構成とすることにより、各ブロックから１画素を抽出することにより得られる画像サイズより小さい縮小率であっても、所望の縮小率に応じた縮小画像を記憶部に記憶できる画像処理装置の提供を目的とする。
【０００８】
さらに本発明は、画像サイズの縮小率に応じて、抽出する画素データの画素数を変更する構成とすることにより、所望の縮小率に応じた縮小画像を記憶部に記憶できる画像処理装置の提供を目的とする。
【課題を解決するための手段】
【０００９】
本発明に係る画像処理装置は、圧縮画像データに係る矩形状の画像の画素数を減少して画像サイズを縮小する処理を行う画像処理装置において、前記画像の画素数より少ない画素数を有する複数のブロック毎に、前記圧縮画像データを解凍する解凍手段と、該解凍手段が解凍したブロック毎に、ブロックを構成する複数の画素から所要数の画素に係る画素データを抽出する抽出手段と、該抽出手段が抽出した画素データを記憶する記憶部とを備え、画像サイズが縮小された画像となるように、前記画素データを関連付けて記憶するように構成してあることを特徴とする。
【００１０】
本発明にあっては、圧縮画像データに係る矩形状の画像の画素数より少ない画素数を有する複数のブロック毎に、圧縮画像データを解凍し、解凍したブロックを構成する複数の画素から所要数の画素に係る画素データを抽出し、抽出した画素データを関連付けて記憶部に記憶して、画像サイズが縮小された画像とする。圧縮画像データを解凍したブロック毎に画素データが抽出されるため、記憶部には、縮小処理された画素数の画素データを記憶すれば良く、必要なメモリ容量を大幅に削減することができる。また、抽出された画素データは記憶部に順次記憶されるため、縮小処理に要する処理負担を軽減することができる。
【００１１】
本発明に係る画像処理装置は、上述した発明において、画像サイズの縮小率を設定する設定手段をさらに備え、前記抽出手段は、前記設定手段が設定した画像サイズの縮小率に応じて、抽出する画素データの画素数を変更するように構成してあることを特徹とする。
【００１２】
本発明にあっては、画像サイズの縮小率を設定し、設定した画像サイズの縮小率に応じて、抽出する画素データの画素数を変更するようにしたので、所望の縮小率に応じた縮小画像を記憶部に記憶できる。
【００１３】
本発明に係る画像処理装置は、圧縮画像データに係る矩形状の画像の画素数を減少して画像サイズを縮小する処理を行う画像処理装置において、前記画像の画素数より少ない画素数を有する複数のブロック毎に、前記圧縮画像データを解凍する解凍手段と、該解凍手段が解凍したブロックのうちの一又は複数のブロックを選択する選択手段と、該選択手段が選択したブロック毎に、ブロックを構成する複数の画素から所要数の画素に係る画素データを抽出する抽出手段と、該抽出手段が抽出した画素データを記憶する記憶部とを備え、画像サイズが縮小された画像となるように、前記画素データを関連付けて記憶するように構成してあることを特徴とする。
【００１４】
本発明にあっては、圧縮画像データに係る矩形状の画像の画素数より少ない画素数を有する複数のブロック毎に、圧縮画像データを解凍し、解凍したブロックのうちから一又は複数のブロックを選択し、選択したブロックを構成する複数の画素から所要数の画素に係る画素データを抽出する。そして、抽出した画素データを関連付けて記憶部に記憶して、画像サイズが縮小された画像とする。圧縮画像データを解凍したブロックのうちの選択したブロック毎に画素データが抽出されるため、記憶部には、縮小処理された画素数の画素データを記憶すれば良く、必要なメモリ容量を大幅に削減することができる。また、抽出された画素データは記憶部に順次記憶されるため、縮小処理に要する処理負担を軽減することができる。また、選択されなかったブロックを構成する画素に係る画素データは間引かれるため、各ブロックから１画素を抽出することにより得られる画像サイズより小さい縮小率の縮小画像を記憶部に記憶できる。
【００１５】
本発明に係る画像処理装置は、上述した発明において、画像サイズの縮小率を設定する設定手段をさらに備え、前記選択手段は、前記設定手段が設定した画像サイズの縮小率に応じて、選択するブロックの数を変更するように構成してあることを特徴とする。
【００１６】
本発明にあっては、画像サイズの縮小率を設定し、設定した画像サイズの縮小率に応じて、選択するブロックの数を変更するようにしたので、各ブロックから１画素を抽出することにより得られる画像サイズより小さい縮小率であっても、所望の縮小率に応じた縮小画像を記憶部に記憶できる。
【００１７】
本発明に係る画像処理装置は、上述した発明において、前記抽出手段は、前記設定手段が設定した画像サイズの縮小率に応じて、抽出する画素データの画素数を変更するように構成してあることを特徴とする。
【００１８】
本発明にあっては、画像サイズの縮小率に応じて、抽出する画素データの画素数を変更するようにしたので、所望の縮小率に応じた縮小画像を記憶部に記憶できる。
【００１９】
本発明に係る画像処理装置は、上述した各発明において、前記ブロックは、行方向の画素数と列方向の画素数とが同一であることを特徴とする。
【００２０】
本発明にあっては、ブロックが、行方向の画素数と列方向の画素数とが同一であるため、画像データの符号化及び復号化を効率よく行うことができる。
【００２１】
本発明に係る画像処理装置は、上述した各発明において、前記圧縮画像データの圧縮形式は、ＪＰＥＧ形式であることを特徴とする。
【００２２】
本発明にあっては、圧縮形式がＪＰＥＧ形式であることにより、画像データの階調数が１,６７７万色（２４ビット）以上に対応でき、写真のような色の変化の滑らかなもの、又は柔らかな表現をしたい場合に好適である。
【発明の効果】
【００２３】
本発明によれば、圧縮画像データに係る画像の画素数より少ない画素数を有する複数のブロック毎に、圧縮画像データを解凍し、解凍したブロック毎に、ブロックを構成する複数の画素から所要数の画素に係る画素データを抽出して記憶部に記憶するようにしたので、記憶部には、縮小処理された画素数の画素データだけを記憶すればよいため、必要なメモリ容量を大幅に削減することができるとともに、抽出された画素データを記憶部に順次記憶するため、縮小処理に要する処理負担を軽減することができる。
【００２４】
また本発明によれば、圧縮画像データに係る画像の画素数より少ない画素数を有する複数のブロック毎に、圧縮画像データを解凍し、解凍したブロックのうちの一又は複数のブロックを選択し、選択したブロックを構成する複数の画素から所要数の画素に係る画素データを抽出し、抽出した画素データを関連付けて記憶部に記憶するようにしたので、記憶部には、縮小処理された画素数の画素データだけを記憶すればよいため、必要なメモリ容量を大幅に削減することができるとともに、抽出された画素データを記憶部に順次記憶するため、縮小処理に要する処理負担を軽減することができる。また、各ブロックから１画素を抽出することにより得られる画像サイズより小さい縮小率の縮小画像を記憶部に記憶することができる。
【００２５】
また本発明によれば、画像サイズの縮小率に応じて、選択するブロックの数を変更するようにしたので、各ブロックから１画素を抽出することにより得られる画像サイズより小さい縮小率であっても、所望の縮小率に応じた縮小画像を記憶部に記憶することができる。
【００２６】
また本発明によれば、画像サイズの縮小率に応じて、抽出する画素データの画素数を変更するようにしたので、所望の縮小率に応じた縮小画像を記憶部に記憶することができる。
【００２７】
また本発明によれば、ブロックの行方向の画素数と列方向の画素数とが同一であるため、画像データの符号化及び復号化を効率よく行うことができる。
【００２８】
さらに本発明によれば、圧縮形式がＪＰＥＧ形式であることにより、画像データの階調数が１,６７７万色（２４ビット）以上に対応でき、写真のような色の変化の滑らかなもの、又は柔らかな表現をしたい場合に好適である等、優れた効果を奏する。
【発明を実施するための最良の形態】
【００２９】
以下、本発明をその実施の形態を示す図面に基づいて詳述する。
【００３０】
図１は本発明に係る画像処理装置（画像処理部）を搭載したデジタルスチルカメラ１０の構成を示すブロック図である。
【００３１】
本発明に係るデジタルスチルカメラ１０は、制御部１１，ＲＯＭ１２，ＲＡＭ１３，撮像部１４，信号処理部１５，画像処理部１６，記憶部１７，操作部１８，表示部１９を備えている。
【００３２】
制御部１１は、具体的にはＣＰＵで構成されており、バスを介して上述したようなハードウェア各部と接続されている。ＲＯＭ１２は、デジタルスチルカメラ１０の動作に必要な種々の制御プログラムを格納しており、制御部１１は、各部を制御して、ＲＯＭ１２に格納された制御プログラムに従って種々の機能を実行する。ＲＡＭ１３は、制御部１１による制御プログラムの実行時に発生する一時的なデータを記憶するもので、例えばＤＲＡＭ、フラッシュメモリ等により構成される。
【００３３】
撮像部１４は、エリア型のＣＣＤ、ＣＭＯＳなどの半導体素子であり、半導体素子はマトリクス状の画素を構成している。撮像部１４は、図示しないレンズを介して外部から入射された光を、入射光の強度に応じた電圧を有するアナログ形式の電気信号に変換して、信号処理部１５へ出力する。
【００３４】
信号処理部１５は、ＡＤＣ１５ａ及びデジタル処理部１５ｂを内蔵しており、ＡＤＣ１５ａは、撮像部１４から出力されたアナログ形式の電気信号をデジタル形式の電気信号に変換する。ＡＤＣ１５ａによって処理された信号は、Ｒ，Ｇ，Ｂ（原色）、又はＣ，Ｍ，Ｙ（補色）の各色が所定の階調を有するデータから構成される。なお、ＡＤＣ１５ａによる変換に先だって、ノイズ抑制処理、感度を調整する増幅処理、及びＣＤＳ（Correlated Double Sampling）処理を行い、電気信号を整形するようにしてもよい。
【００３５】
デジタル処理部１５ｂは、ガンマ補正処理、輪郭補正処理、及び画像形式変換処理を行う。デジタル処理部１５ｂには、図示しないメモリが内蔵されており、メモリは、デジタル処理部１５ｂによる処理の実行中に生成されるデータを一時的に記憶する機能を有する。
【００３６】
ガンマ補正処理は画像データのガンマ特性を補正し、輪郭補正処理は、垂直輪郭および水平輪郭を強調して映像全体の鮮明度を向上させる。画像形式変換処理は、上述した各種処理により調整された画像データをＪＰＥＧ形式の圧縮画像データに圧縮変換する。
【００３７】
記憶部１７は、具体的にはフラッシュメモリであり、デジタル処理部１５ｂにて処理された圧縮画像データ３２ａ，３２ｂ，…を記憶する。各圧縮画像データ３２ａ，３２ｂ，…は階層構造で管理されており、ディレクトリにより圧縮画像データ３２ａ，３２ｂ，…の記憶部１７における所在が指定できるものとする。
【００３８】
操作部１８は、デジタルスチルカメラ１０を操作するために必要な文字キー、テンキーおよび各種のファンクションキーなどを備えている。操作部１８は、ファンクションキーとして、画像データに係る縮小画像を生成するための指示を行うための縮小処理キー１８ａを有する。
【００３９】
表示部１９は、ＬＣＤ又はＦＥＤなどの表示デバイスで構成されており、デジタルスチルカメラ１０の動作状態の表示、利用者へ操作入力を促す画面の表示などを行う。なお、表示部１９をタッチパネル方式とすることにより、操作部１８の各種のファンクションキーのうちの一部又は全部を代用することも可能である。
【００４０】
画像処理部１６は、縮小処理キー１８ａによる指示に基づいて、記憶部１７に記憶されている圧縮画像データを読み出して、読み出した圧縮画像データを解凍し、圧縮画像データに係る画像より小さい画像サイズの縮小画像を生成し、画像メモリ１６ａに記憶する。
【００４１】
図２、図３及び図４は本発明に係る画像処理部の処理概要を説明するための説明図である。
【００４２】
図２において、図中５０は、６４０×４８０の画素からなるＪＰＥＧ画像である。ＪＰＥＧ画像の符号化アルゴリズムは、１６×１６の画素からなる画素ブロック５１ａ，５１ａ，…毎に符号化処理を行う離散コサイン変換が用いられることから、ＪＰＥＧ画像を解凍（復号化）する場合、画素ブロック５１ａ毎に解凍を行う。
【００４３】
そして、解凍した画素ブロック５１ａを構成する１６×１６の画素のうちの４つの画素に係る画素データを抽出して画像メモリ１６ａに記憶する。画素ブロック５１ａから抽出する画素データは、図３に示すように、例えば、座標（Ｘ，Ｙ）が（４，４）、（１２，４）、（４，１２）、（１２，１２）に相当する画素５２ａ，５２ｂ，５２ｃ，５２ｄに係る画素データを抽出するようにする。
【００４４】
このような抽出処理及び記憶処理を、ＪＰＥＧ画像を構成するすべての画素ブロック５１ａに対して行うことによって、画像メモリ１６ａには、図４に示すような画素５２ａ，５２ｂ，５２ｃ，５２ｄ，…からなる４０×３０のサイズを有する縮小画像５２が記憶されることになる。
【００４５】
したがって、この縮小画像５２を画像メモリ１６ａから読み出して、表示部１９に縮小画像５２を表示することができる。画像メモリ１６ａには、縮小画像５２の画素数の画素データを記憶すればよいため、必要なメモリ容量を大幅に削減することができる。また、抽出した画素データを画像メモリに順次記憶するため、縮小処理に係る処理負担を軽減することができる。
【００４６】
図５は本発明に係るデジタルスチルカメラにおける縮小処理の動作フローを示すフローチャートである。なお、動作フローは一例であり、これに限定されるものではない。また、このような動作フローはＲＯＭ１２へ予めコンピュータプログラムを組み込んでおくことにより行うことができる。
【００４７】
制御部１１は、縮小処理キー１８ａの押下の有無に基づいて、画像の縮小処理が設定されているか否かを判断する（ステップＳ１）。画像の縮小処理が設定されていない場合（Ｓ１：ＮＯ）、処理をＳ１に戻す。画像の縮小処理が設定されている場合（Ｓ１：ＹＥＳ）、制御部１１は、記憶部１７にアクセスして、目的の圧縮画像データを記憶部１７から読み出す（ステップＳ２）。
【００４８】
そして、読み出した圧縮画像データを１６×１６画素からなる画素ブロック毎に解凍する（ステップＳ３）。Ｓ３によって解凍された１６×１６画素の画素データは、圧縮が解凍されて、いわゆるビットマップデータとなる。
【００４９】
ビットマップデータとなった１６×１６画素の画素データのうち、所定座標の４つの画素に係る画素データを抽出する（ステップＳ４）。抽出する画素データについては、図３で説明したように、座標（Ｘ，Ｙ）が（４，４）、（１２，４）、（４，１２）、（１２，１２）に相当する画素に係る画素データを抽出するように、予めコンピュータプログラムに組み込んである。もちろん、抽出する画素データをランダムに選択するようにしてもよいが、抽出した画素データが当該画素ブロックを代表することになるため、上述のように均等な位置の画素に係る画素データを選択することが元画像を再現する観点において好ましい。
【００５０】
次に、抽出した４つの画素データを画像メモリ１６ａに順次記憶する（ステップＳ５）。そして、すべての画素ブロックに対して抽出処理が終了したか否かを判定する（ステップＳ６）。すべての画素ブロックに対して抽出処理が終了していない場合、すなわち、解凍すべき画素ブロックが残っている場合（Ｓ６：ＮＯ）、処理をＳ３に戻し、Ｓ３〜Ｓ５の処理を行う。
【００５１】
一方、すべての画素ブロックに対して抽出処理が終了した場合（Ｓ６：ＹＥＳ）は処理を終了する。このようにして、Ｓ３〜Ｓ５の処理を、画像を構成するすべての画素ブロックに対して行うころにより、４０×３０の画像サイズを有する縮小画像に係る画像データが画像メモリ１６ａに記憶される。
【００５２】
なお、抽出処理としては、画像サイズの縮小率に応じて、１６×１６画素のうちの抽出する画素数（抽出数）を計算で求めるようにしてもよい。
【００５３】
すなわち、画素ブロックを構成する画素数に縮小率を乗算することにより抽出数を求めることができる。例えば、画像サイズの縮小率が１／８である場合には、画素ブロックを構成する画素数１６に縮小率１／８を乗算することによって、抽出数２が算出される。そこで、制御部１１は、算出により求めた抽出数２に基づいて、１６×１６画素から２×２画素をそれぞれ抽出するよう画像処理部へ指示するようにする。このように、画像サイズの縮小率に応じて、画素ブロックから抽出する画素データの画素数を変更するようにすれば、所望の縮小率に応じた縮小画像を生成できる。
【００５４】
また、画像サイズの縮小率が１／１６未満である場合には、画素ブロック自体を間引くようにする。例えば、画像サイズの縮小率が１／３２である場合には、画素ブロックを構成する画素数１６に縮小率１／３２を乗算することによって、抽出数１／２が算出される。
【００５５】
算出された抽出数は、２画素ブロック毎に１画素を抽出することを意味しており、制御部１１は、算出により求めた抽出数１／２に基づいて、２画素ブロック毎に１画素を抽出するよう画像処理部へ指示するようにする。例えば、図６に示すように、奇数行においては、奇数列の画素ブロック（５１1-1 ，５１1-3 ，…）から所定の画素５３に係る画素データを抽出し、偶数列の画素ブロック（５１1-2 ，５１1-4 ，…）からは画素データを抽出しない、すなわち画素ブロック自体を間引くように指示する。また、偶数行においては、奇数列の画素ブロック（５１2-1 ，５１2-3 ，…）を間引き、偶数列の画素ブロック（５１2-2 ，５１2-4 ，…）から所定の画素５３に係る画素データを抽出するように指示する。このように、画像サイズの縮小率に応じて、画素データを抽出する画素ブロックを選択することにより、選択したブロックからは画素データを抽出し、それ以外の画素ブロック（非選択の画素ブロック）を間引いて、所望の縮小率に応じた縮小画像を生成できる。
【００５６】
なお、実施の形態では、本発明に係る画像処理部をデジタルスチルカメラに搭載した場合について説明したが、デジタルビデオカメラなどのような撮像機器、ＤＶＤレコーダ、ハードディスクレコーダなどのような映像機器に搭載してもよい。映像機器では、映像データの所定（例えば最初）の映像フレームの画像をＪＰＥＧ形式の画像データとして記憶して動画の内容を識別する機器が実用化されており、本発明に係る画像処理部を搭載することにより、必要なメモリ容量を削減することができる。また、抽出した画素を画像メモリに順次記憶するため、縮小処理に係る処理負担を軽減することができる。
【００５７】
また、画像データは、動画であってもよく、例えば、モーションＪＰＥＧ形式の符号・復号化アルゴリズムは、上述したＪＰＥＧ形成と同様であるため、実施の形態で説明したことを適用できることは言うまでもない。
【図面の簡単な説明】
【００５８】
【図１】本発明に係る画像処理装置（画像処理部）を搭載したデジタルスチルカメラ１０の構成を示すブロック図である。
【図２】本発明に係る画像処理部の処理概要を説明するための説明図である。
【図３】本発明に係る画像処理部の処理概要を説明するための説明図である。
【図４】本発明に係る画像処理部の処理概要を説明するための説明図である。
【図５】本発明に係るデジタルスチルカメラにおける縮小処理の動作フローを示すフローチャートである。
【図６】本発明に係る画像処理部の他の処理概要を説明するための説明図である。
【符号の説明】
【００５９】
１０  デジタルスチルカメラ
１１  制御部
１４  撮像部
１５  信号処理部
１６  画像処理部
１６ａ  画像メモリ
１７  記憶部
１８  操作部
１８ａ  縮小処理キー
１９  表示部
３２ａ，３２ｂ，…  圧縮画像データ
【図１】
2005340950.tif 000003
【図２】
2005340950.tif 000004
【図３】
2005340950.tif 000005
【図４】
2005340950.tif 000006
【図５】
2005340950.tif 000007
【図６】
2005340950.tif 000008